(57)【要約】【課題】コンパクト化の要請に応えつつ、プレート部の表面全体に対する空気の偏流を抑制すると共に、フィン部に空気が流入する際の通風抵抗を低減でき、熱交換機における熱交換効率を良好に維持できる空気調和機を提供する。【解決手段】熱交換機２４のフィン部２６と遠心送風機１８との間には、該遠心送風機１８から吹き出された空気吹出流をフィン部２６のガイド面２６ａに沿う方向に整流してガイドする整流ガイド３２が設けられている。そのため、遠心送風機１８から放射方向に吹き出された空気吹出流は、整流ガイド３２によって熱交換機２４における各フィン部２６のガイド面２６ａに沿う方向に整流ガイドされるため、前記空気吹出流は、フィン部２６の各ガイド面２６ａ間へ滑らかに流入した後、プレート部２５の表面２５ａに沿って各ガイド面２６ａの間を熱交換しながら通過することになる。【選択図】      図５
2006046856.tif 000002
【特許請求の範囲】
【請求項１】
ケーシング内に遠心送風機と熱交換機とを備え、該熱交換機を前記遠心送風機の回転軸線と直交する方向で該遠心送風機と少なくとも部分的に重なり合うように配置すると共に、前記熱交換機を、前記遠心送風機の回転軸線に沿う方向に並設された複数のプレート部と、該各プレート部の間に配置されて前記遠心送風機から吹き出された空気吹出流を前記プレート部の表面に沿ってガイドするガイド面が形成されたフィン部とを備えた構成とし、該フィン部と前記遠心送風機との間には、該遠心送風機から吹き出された空気吹出流を前記フィン部のガイド面に沿う方向に整流してガイドする整流ガイドを設けた空気調和機。
【請求項２】
前記整流ガイドは、前記遠心送風機側となる先端側部位が前記遠心送風機からの空気吹出方向に沿うように、且つ前記フィン部側となる基端側部位が前記ガイド面に沿うように形成されている請求項１に記載の空気調和機。
【請求項３】
前記プレート部は、前記遠心送風機側となる側縁部の少なくとも一部が前記遠心送風機の羽根部の回動軌跡に対応した円弧状をなすように形成されている請求項１又は請求項２に記載の空気調和機。
【請求項４】
前記プレート部には、前記遠心送風機の羽根部の回動軌跡に対応した大きさの円形開口が形成されており、該円形開口の中心に前記回転軸線を一致させた状態で前記遠心送風機は配置されている請求項３に記載の空気調和機。
【請求項５】
前記プレート部の内部には、該プレート部の表面と対応する領域全体に亘って冷媒流路が設けられている請求項１〜請求項４のうち何れか一項に記載の空気調和機。
【請求項６】
前記熱交換機には前記ガイド面が複数設けられており、各ガイド面のうち少なくとも一部のガイド面は、前記遠心送風機の回転軸線に対して放射状をなす方向に沿って形成されている請求項１〜請求項５のうち何れか一項に記載の空気調和機。
【発明の詳細な説明】
【技術分野】
【０００１】
本発明は、ケーシング内に熱交換機と送風機とを備えた空気調和機に関する。
【背景技術】
【０００２】
一般に、空気調和機では、ケーシング内に送風機と熱交換機とを備え、送風機の回転駆動に伴いケーシング内に吸い込まれた空気が、熱交換機を通過した後、ケーシング外へ吹き出されるようにしている。こうした空気調和機において、前記送風機として遠心送風機を使用したものがある。遠心送風機は、その回転軸線に沿う前方側から空気を吸い込み、その回転軸線と直交する放射方向（遠心方向）へ空気を吹き出す。そのため、熱交換機を遠心送風機の回転軸線と直交する方向で該遠心送風機と少なくとも部分的に重なり合うように配置した場合には、熱交換機のプレート部の表面に設けられるフィン列の方向次第では、空気吹出流の圧力損失が生じて空気調和機としての性能を低下させてしまうという問題が生じる。
【０００３】
特に、近時における空気調和機には、その設置スペースを少なくしたいという観点から、コンパクト化が要請されている。そのため、こうした要請に応えるべく、ケーシング内に遠心送風機の回転軸線と直交する方向において遠心送風機と熱交換機を近接配置した場合には、熱交換機のプレート部の表面に形成されたフィン部（フィン列）へ空気が滑らかに流入し難くなり、上記の問題が顕著になる。この点、空気調和機に関する技術分野では、上記問題に対する有効な対処技術は未だ提案されていない。
【０００４】
但し、空気調和機に関してではないが、ヒートシンク装置に関する技術分野においては、これに一見類似した技術が特許文献１に開示されている。この特許文献１は、コンピュータ等で使用されるＣＰＵ（中央演算処理装置）を冷却するヒートシンク装置に関する発明を開示するものであり、そこには送風機（ファン）を円環状に配設されたフィン列の中央に位置させてなるヒートシンク装置が開示されている。そして、このヒートシンク装置においては、送風機の回転駆動に伴い中央部分から放射方向に吹き出された空気吹出流が、同じく放射方向に沿うように設けられたフィン列の表面（空気のガイド面）に沿って放散されるようにすることで、空気吹出流の勢いが弱まるのを抑制して冷却性能を維持するようにしている。
【特許文献１】特開２００１−３０８２４４号公報（図２０）
【発明の開示】
【発明が解決しようとする課題】
【０００５】
ところが、この特許文献１が開示するヒートシンク装置における空気吹出流への対処技術を空気調和機に適用しようとした場合には、次のような問題がある。すなわち、特許文献１のヒートシンク装置では、送風機から放射方向へ吹き出された空気吹出流を同様に放射方向に沿ってガイドするために、フィン部（フィン列）が複数ある空気のガイド面（各列のフィン表面）を放射方向に沿わせるように円環状に設けられることになる。そのため、この特許文献１の開示技術を空気調和機に適用した場合には、そのような円環状に設けられたフィン部（フィン列）の各ガイド面にガイドされて放射方向の外方に放散された空気吹出流をケーシングの吹出口まで導くための空気吹出流路を更に外側に円環状に設けることが必要になる。しかし、それでは空気調和機のコンパクト化という要請には逆行することになり、結局、特許文献１の開示技術からも、空気調和機における上記問題への対処技術は示唆されないものとなっていた。
【０００６】
本発明は、上記事情に鑑みてなされたものであり、その目的は、コンパクト化の要請に応えつつ、プレート部の表面全体に対する空気の偏流を抑制すると共に、フィン部に空気が流入する際の通風抵抗を低減でき、熱交換機における熱交換効率を良好に維持できる空気調和機を提供することにある。
【課題を解決するための手段】
【０００７】
上記目的を達成するために、請求項１に記載の発明は、ケーシング内に遠心送風機と熱交換機とを備え、該熱交換機を前記遠心送風機の回転軸線と直交する方向で該遠心送風機と少なくとも部分的に重なり合うように配置すると共に、前記熱交換機を、前記遠心送風機の回転軸線に沿う方向に並設された複数のプレート部と、該各プレート部の間に配置されて前記遠心送風機から吹き出された空気吹出流を前記プレート部の表面に沿ってガイドするガイド面が形成されたフィン部とを備えた構成とし、該フィン部と前記遠心送風機との間には、該遠心送風機から吹き出された空気吹出流を前記フィン部のガイド面に沿う方向に整流してガイドする整流ガイドを設けたことを要旨としている。
【０００８】
そのため、請求項１に記載の発明によれば、遠心送風機から吹き出された空気吹出流は、整流ガイドによって熱交換機におけるフィン部のガイド面に沿う方向に整流ガイドされるため、前記空気吹出流は、フィン部のガイド面に沿って各プレート部の間を熱交換しながら通過することになる。従って、遠心送風機に熱交換機を近づけて配置した場合でも、その熱交換機内では、プレート部の表面全体に対する空気の偏流を抑制できるとともに、フィン部に空気が流入する際の通風抵抗を低減することができ、熱交換効率を良好に維持しつつ、空気調和機のコンパクト化を実現することができる。
【０００９】
請求項２に記載の発明は、請求項１に記載の空気調和機において、前記整流ガイドは、前記遠心送風機側となる先端側部位が前記遠心送風機からの空気吹出方向に沿うように、且つ前記フィン部側となる基端側部位が前記ガイド面に沿うように形成されていることを要旨としている。そのため、請求項２に記載の発明によれば、整流ガイドは、その先端側部位が遠心送風機からの空気吹出方向に沿うと共に、その基端側部位がフィン部のガイド面に沿うように形成されているため、遠心送風機から吹き出された空気吹出流をフィン部のガイド面に沿って流れるように滑らかに整流してガイドすることができる。
【００１０】
請求項３に記載の発明は、請求項１又は請求項２に記載の空気調和機において、前記プレート部は、前記遠心送風機側となる側縁部の少なくとも一部が前記遠心送風機の羽根部の回動軌跡に対応した円弧状をなすように形成されていることを要旨としている。そのため、請求項３に記載の発明によれば、熱交換機を構成するプレート部は、遠心送風機側となる側縁部の少なくとも一部が遠心送風機の羽根部の回動軌跡に対応して円弧状をなすように形成されているため、熱交換機を遠心送風機との間の距離を狭くして配置することが可能となり、空気調和機のコンパクト化に貢献できる。
【００１１】
請求項４に記載の発明は、請求項３に記載の空気調和機において、前記プレート部には、前記遠心送風機の羽根部の回動軌跡に対応した大きさの円形開口が形成されており、該円形開口の中心に前記回転軸線を一致させた状態で前記遠心送風機は配置されていることを要旨としている。そのため、請求項４に記載の発明によれば、熱交換機のプレート部は、遠心送風機を径方向外側から囲繞するように配置されることになり、そのプレート部の表面で構成される有効熱交換面積を広く確保することが可能となる。
【００１２】
請求項５に記載の発明は、請求項１〜請求項４のうち何れか一項に記載の空気調和機において、前記プレート部の内部には、該プレート部の表面と対応する領域全体に亘って冷媒流路が設けられていることを要旨としている。そのため、請求項５に記載の発明によれば、冷媒流路がプレート部全体に亘って形成されているため、熱交換機における熱交換機能を向上させることができる。
【００１３】
請求項６に記載の発明は、請求項１〜請求項５のうち何れか一項に記載の空気調和機において、前記熱交換機には前記ガイド面が複数設けられており、各ガイド面のうち少なくとも一部のガイド面は、前記遠心送風機の回転軸線に対して放射状をなす方向に沿って形成されていることを要旨としている。そのため、請求項６に記載の発明によれば、フィン部に流入した空気吹出流のうち、ガイド面が遠心送風機の回転軸線に対して放射状をなす方向に沿うように形成されたガイド面によりガイドされる空気吹出流については、通風抵抗がより一層低減させられた状態で効率良く各プレート部の間を熱交換しながら通過させることができる。
【発明の効果】
【００１４】
請求項１〜請求項６に記載の本発明によれば、コンパクト化しつつ、プレート部の表面全体に対する空気の偏流を抑制すると共に、フィン部に空気が流入する際の通風抵抗を低減でき、熱交換機による熱交換効率を良好に維持できる。
【発明を実施するための最良の形態】
【００１５】
以下、本発明を空気調和機における室内機に具体化した一実施形態を図１〜図５にしたがって説明する。なお、以下の説明において前後方向という場合には、図１における上下方向の下側を前方向、上側を後方向とし、図２における紙面と直交する方向の手前側を前方向、奥側を後方向として説明するものとする。なお、図１は本実施形態における空気調和機を高さ方向の中間位置で平断面図示したものであり、図２は図１のものから後述する前面パネルを取り外した状態の正面図である。
【００１６】
図１及び図２に示すように、本実施形態の空気調和機１０は、箱状のケーシング１１を備えており、該ケーシング１１の背面（後面）を室内壁面（例えば、天井間近で横梁状をなす壁面部分）Ｗに対向させた状態で設置される壁掛け式薄型の室内機として構成されている。前記ケーシング１１は、前面側が開口したケーシング本体１２と、該ケーシング本体１２の前面側を閉塞する前面パネル１３とから構成されている。この前面パネル１３の表面（前面）における略中央には、吸込口１４が設けられている。また、吸込口１４の左右二箇所には、吹出口１５が夫々設けられている。なお、ケーシング本体１２の右側壁１２ｂからは一対の冷媒配管１６が引き出され、各冷媒配管１６の引出端には接続用ユニット１７が設けられている。
【００１７】
また、前記ケーシング１１内には、遠心送風機１８が、回転軸線Ｐを前後方向（すなわち、ケーシング１１の奥行方向）に沿わせた状態で前記吸込口１４に対向するように配置されている。そして、前記吸込口１４と遠心送風機１８との間には、正面視円環状をなす空気ガイド（「ベルマウス」ともいう）１９が遠心送風機１８と同軸配置となるように配置されている。前記空気ガイド１９は、遠心送風機１８側となる後面側から吸込口１４側となる前面側（すなわち、ケーシング１１の奥行方向手前側）に向けて末広がり状をなすように形成されており、図１に示すように、その前端縁が前面パネル１３に対して吸込口１４の背面側から嵌め込み支持されることにより、ケーシング１１に対して固定されている。そして、空気ガイド１９は、その前端縁よりも小径に形成された後端縁が遠心送風機１８の前端近傍まで延設され、吸込口１４からケーシング１１内に流入した空気を遠心送風機１８に向けて滑らかにガイドするようになっている。
【００１８】
前記遠心送風機１８は、略円盤形状をなすハブ２０と該ハブ２０の外周部前面から前方へ向けて突設された多数枚（本実施形態では２０枚）の円弧片状の羽根２１とを備えてなる羽根部２２と、該羽根部２２を回転駆動させるためのモータ２３とを備えている。この遠心送風機１８は、羽根部２２の回転駆動に基づき発生する遠心力によって、該遠心送風機１８内から空気を前記回転軸線Ｐと直交する遠心方向（ラジアル方向）へ向けて吹き出す遠心送風機能を有するものであり、その羽根部２２は前面側から見た場合の輪郭形状（正面視形状）は空気ガイド１９の後端縁の開口形状と略同一の大きさをなしている。そして、遠心送風機１８は、ケーシング１１の後側壁面にモータ２３が固定されると共に、該モータ２３から前方へ向けて前記回転軸線Ｐに軸線を一致させるように突設された支持軸２３ａの先端部に、遠心送風機１８の羽根部２２が回動自在に支持されている。
【００１９】
また、前記ケーシング１１（ケーシング本体１２）内には、熱交換機２４が設けられており、該熱交換機２４には、図３（ａ）（ｂ）に示すように、遠心送風機１８の回転軸線Ｐに沿う方向に併設される正面視矩形状をなすプレート部２５が複数（図３（ａ）では３つのみ図示）設けられている。そして、これら各プレート部２５の間には、遠心送風機１８から吹き出された空気吹出流を該各プレート部２５の表面２５ａに沿ってガイドする複数のガイド面２６ａが形成されたフィン部２６がそれぞれ配設されている。
【００２０】
前記各プレート部２５には、図２に示すように、その前面側の略中央に前記羽根部２２の回動軌跡２７に対応した大きさの円形開口２８がそれぞれ形成されている。そして、本実施形態において、遠心送風機１８は、各プレート部２５の各円形開口２８の中心に前記回転軸線Ｐを一致させた状態で配置されている。すなわち、前記各プレート部２５は、遠心送風機１８側となる側縁部２５ｂが前記羽根部２２の回動軌跡２７に対応した円弧状をなすように形成されており、熱交換機２４は、前記遠心送風機１８に対して、その側縁部２５ｂ（本実施形態では円形開口２８の開口縁でもある）が前記該遠心送風機１８を囲繞するように近接配置されている。また、前記フィン部２６は、遠心送風機１８側となる側縁部２６ｂが前記円形開口２８の下半分の開口縁形状を下端縁形状とする舌片形状（図５参照）を描くように形成されている。そして、このような配置態様としたことにより、熱交換機２４は、遠心送風機１８の回転軸線Ｐと直交する方向で該遠心送風機１８と部分的に重なり合うことになる。なお、本実施形態では、遠心送風機１８の回転軸線Ｐに沿う方向を奥行方向とした場合に、遠心送風機１８の奥行方向長さ全体が熱交換機２４の奥行方向長さの一部にオーバーラップする（重なり合った）配置構成とされている。
【００２１】
また、前記各プレート部２５の内部には、図３（ｂ）及び図４に示すように、該各プレート部２５の表面２５ａと対応する領域全体に亘って蛇行状をなす冷媒流路２９がそれぞれ設けられている。これら各冷媒流路２９は、前記冷媒配管１６とそれぞれ接続されており、入口側配管となる一方の冷媒配管１６から流入した冷媒が各冷媒流路２９内を巡った後、出口側配管となる他方の冷媒配管１６から流出するようになっている。なお、図４においては、説明理解の便宜上、冷媒流路２９の流路幅を幅広にして、該冷媒流路２９の構成を簡略化した状態で図示している。
【００２２】
また、前記ケーシング１１（ケーシング本体１２）内において、図１における左右両端側には、熱交換機２４との対向面に円弧面状のガイド面３０ａを備えたガイドブロック３０がそれぞれ配置されている。そして、これら各ガイドブロック３０と熱交換機２４との間には、前記吹出口１５に連通する空気吹出流路３１が設けられている。そのため、前記遠心送風機１８からラジアル方向に吹き出された空気は、前記熱交換機２４の各フィン部２６における各ガイド面２６ａの間を各プレート部２５の表面２５ａに沿って通過した後、その空気吹出流路３１内において前記ガイド面３０ａに沿って円滑に吹出口１５の方向へ案内されるようになっている。
【００２３】
また、本実施形態のフィン部２６は、図５に示すように、その各ガイド面２６ａのうち一部のガイド面（図５における下方側に形成されたガイド面であって、前記円形開口２８の下半分の開口縁部分に対応するガイド面）２６ａが遠心送風機１８の回転軸線Ｐに対して放射状をなす方向に沿うように形成されている。一方、前記各ガイド面２６ａのうち残りの各ガイド面（図５における上方側に形成された各ガイド面）２６ａは図５における左右方向に延びるように（即ち、水平方向へ平行となるように）それぞれ形成されている。なお、本実施形態における各フィン部２６は、帯状をなすコルゲートフィンでそれぞれ構成されている。また、図５においては、説明理解の便宜上、フィン部２６に形成された各ガイド面２６ａ間の幅を幅広にして、フィン部２６の構成を簡略化した状態で図示している。
【００２４】
また、前記ケーシング１１（ケーシング本体１２）内には、前記遠心送風機１８とフィン部２６との間に該遠心送風機１８から吹き出された空気吹出流をフィン部２６のガイド面２６ａに沿う方向に整流してガイドする複数（図５では６１個のみ図示）の整流ガイド３２が設けられている。これら各整流ガイド３２は、遠心送風機１８側となる先端側部位３２ａが該遠心送風機１８からの空気吹出方向に沿うように、且つフィン部２６側となる基端側部位３２ｂが各ガイド面２６ａに沿うようにそれぞれ形成されている。なお、図５においては、説明理解の便宜上、フィン部２６に形成された各ガイド面２６ａ間の幅に対応するように各整流ガイド３２間の幅を幅広となるように簡略化して図示している。
【００２５】
そこで次に、上記のように構成された本実施形態の空気調和機１０における作用について以下説明する。
さて、モータ２３の駆動力に基づき遠心送風機１８の羽根部２２が回転駆動されると、図１に矢印Ａで示すように、前記ケーシング１１内には前面側の吸込口１４から空気が遠心送風機１８に向けて吸い込まれる。その際に、吸込口１４からは前方に向けて末広がり状をなす空気ガイド１９の内面に沿って大容量の空気が滑らかに遠心送風機１８へ流入ガイドされる。そして、遠心送風機１８内に流入した空気は、該遠心送風機１８の遠心送風機能により、図３に矢印ａで示すように、回転軸線Ｐと直交するラジアル方向へ吹き出される。
【００２６】
すると、この遠心送風機１８から吹き出された空気吹出流は、各整流ガイド３２によって熱交換機２４における各フィン部２６の各ガイド面２６ａに沿う方向に整流ガイドされる（図５参照）。この際に、各整流ガイド３２の先端側部位３２ａが、遠心送風機１８から吹き出された直後の空気吹出流と略同一方向となるように該遠心送風機１８からの空気吹出方向に沿うように形成されているため、遠心送風機１８から吹き出された空気吹出流は、該先端側部位３２ａの側面に沿って滑らかに流通する。また、各整流ガイド３２は、先端側部位３２ａから基端側部位３２ｂに向けて徐々に各フィン部２６の各ガイド面２６ａに沿うように形成されている。そのため、前記空気吹出流は、各ガイド面２６ａに沿うように整流ガイド３２によって滑らかに整流ガイドされ、該整流ガイド３２の基端側部位３２ｂまでガイドされた空気吹出流は、その流通方向が各ガイド面２６ａの沿う方向と略同一方向になる。従って、前記各フィン部２６内に前記空気が流入する際の通風抵抗が低減されることになり、前記空気は、各フィン部２６の各ガイド面２６ａの間に滑らかに流入する。また、前記各整流ガイド３２は、前記空気を前記各フィン部２６に満遍なくガイドできるように配置されているため、熱交換機２４（各フィン部２６）内での各プレート部２５の表面２５ａ全体に対する空気の偏流が抑制される。
【００２７】
そして、各フィン部２６（熱交換機２４）内を通過する空気は、該フィン部２６内を通過する際に温度調整（加熱又は冷却）される。すなわち、空気調和機１０の駆動中においては、前記冷媒配管１６を介して各プレート部２５の冷媒流路２９内を冷媒が流動しており、各プレート部２５及び各フィン部２６は、各冷媒流路２９内を流動する冷媒からの熱伝導を受けて加熱又は冷却される。そのため、前記各ガイド面２６ａの間をプレート部２５の表面２５ａに沿って通過する空気は、前記各フィン部２６及び各プレート部２５との熱交換により十分に温度調整される。また、遠心送風機１８から吹き出された空気吹出流は、各整流ガイド３２によって各フィン部２６（熱交換機２４内）全体を満遍なく通過するため、熱交換機２４による熱交換効率は良好に維持されることになる。
【００２８】
その後、熱交換機２４の背面側から吹き出された空気は、該熱交換機２４とガイドブロック３０との間に形成された空気吹出流路３１内へ流入する。すると、この空気吹出流路３１内において、前記空気は、図３に矢印ｂで示すように、その空気吹出流の方向が、ガイドブロック３０の内面側に形成された円弧面状をなすガイド面３０ａによって、前面側の吹出口１５に向けて滑らかにガイドされる。そして、空気吹出流路３１内を吹出口１５まで導かれた空気は、該吹出口１５からケーシング１１外へと吹き出される。すなわち、本実施形態の空気調和機１０では、ケーシング１１の前面側から室内の空気を吸い込み、該ケーシング１１の前面側から温度調整された空気を室内に吹き出す。その際、温度調整された空気は、図１に矢印Ｂで示すように、吸込口１４の図１における左右両側に設けられた各吹出口１５からケーシング１１外へと吹き出されることになるため、左右方向へ広範囲にわたって吹き出される。
【００２９】
上記実施形態の空気調和機１０によれば、以下のような効果を得ることができる。
（１）遠心送風機１８から吹き出された空気吹出流は、整流ガイド３２によって熱交換機２４における各フィン部２６のガイド面２６ａに沿う方向に整流ガイドされるため、前記空気吹出流は、フィン部２６の各ガイド面２６ａ間へ滑らかに流入した後、プレート部２５の表面２５ａに沿って各ガイド面２６ａの間を熱交換しながら通過することになる。従って、遠心送風機１８に熱交換機２４を近づけて配置した場合でも、その熱交換機２４内では、プレート部２５の表面２５ａ全体に対する空気の偏流を抑制できると共に、各フィン部２６に空気が流入する際の通風抵抗を低減することができ、熱交換効率を良好に維持しつつ、空気調和機１０のコンパクト化を実現することができる。
【００３０】
（２）各整流ガイド３２は、その先端側部位３２ａが遠心送風機１８からの空気吹出方向に沿うように形成されると共に、その基端側部位３２ｂがフィン部２６のガイド面２６ａに沿うように形成されているため、遠心送風機１８から吹き出された空気吹出流をフィン部２６の各ガイド面２６ａの間へ滑らかに整流してガイドすることができる。
【００３１】
（３）熱交換機２４を構成するプレート部２５は、遠心送風機１８側となる側縁部２５ｂが遠心送風機１８の羽根部２２の回動軌跡２７に対応して円弧状をなすように形成されている。そのため、熱交換機２４を遠心送風機１８との間の距離を狭くして配置することが可能となり、空気調和機１０のコンパクト化に貢献できる。
【００３２】
（４）熱交換機２４の各プレート部２５は、遠心送風機１８を径方向外側から囲繞するようにそれぞれ配置されることになり、それら各プレート部２５の表面２５ａで構成される有効熱交換面積を広く確保することが可能となる。
【００３３】
（５）冷媒流路２９がプレート部２５全体に亘って形成されているため、熱交換機２４における熱交換機能を向上させることができる。
（６）各フィン部２６に流入した空気吹出流のうち、ガイド面２６ａが遠心送風機１８の回転軸線Ｐに対して放射状をなす方向に沿うように形成されたガイド面２６ａによりガイドされる空気吹出流については、通風抵抗がより一層低減させられた状態で効率良く各プレート部２５の間を熱交換しながら通過させることができる。
【００３４】
なお、本実施形態は以下のような別の実施形態（別例）に変更してもよい。
・前記実施形態において、フィン部２６は、コルゲートフィンではなく、複数枚の熱伝導性の良好な金属板（例えば、アルミニウム板や銅板）を、遠心送風機１８から吹き出された空気吹出流が熱交換機２４内を各プレート部２５の表面２５ａに沿って通過できるように各プレート部２５の表面２５ａに個々に接合配置したものであってもよい。
【００３５】
・前記実施形態において、フィン部２６は、該フィン部２６に形成された全てのガイド面２６ａが遠心送風機１８の回転軸線Ｐに対して放射状をなす方向に沿って形成された構成であってもよい。
【００３６】
・前記実施形態において、プレート部２５に形成された開口（円形開口２８）は、該プレート部２５における遠心送風機１８側となる側縁部２５ｂの一部が該遠心送風機１８の羽根部２２の回動軌跡２７に対応した円弧状をなしていれば、図６に示すように、フィン部２６の側縁部２６ｂが描く形状と同様に舌片形状をなす開口４０であってもよい。ただし、開口４０の大きさは、熱交換機２４を正面から見た場合に、各プレート部２５の間に介在されるフィン部２６が見えない程度の大きさであることが望ましい。
【００３７】
・前記実施形態において、熱交換機を構成する各プレート部２５における遠心送風機１８側となる側縁部２５ｂの一部が該遠心送風機１８の羽根部２２の回動軌跡２７に対応した円弧状をなしていれば、熱交換機を複数（例えば２つ）備えた構成であってもよい。このように構成しても、前記側縁部２５ｂの一部が遠心送風機１８の羽根部２２の回動軌跡２７に対応した円弧状をなしているため、該遠心送風機１８と熱交換機とを接近させることができる。
【００３８】
・前記実施形態において、熱交換機２４は、複数（２つ又は４つ以上）のプレート部２５が遠心送風機１８の回転軸線Ｐに沿う方向に並設された構成であってもよい。
・前記実施形態において、プレート部２５の側縁部２５ｂは、遠心送風機１８の羽根部２２の回動軌跡２７に対応した円弧状をなした形状でなくてもよい。例えば、図７に示すように、プレート部４３の側縁部４３ｂが直線状をなし、各ガイド面４１ａが全て同一方向に平行に延びるように形成されたフィン部４１を備えた空気調和機１０Ａであってもよい。また、複数（図７では３つ）の熱交換機４２を遠心送風機１８を囲むように配置した空気調和機１０Ａであってもよい。このように構成しても、各整流ガイド３２が遠心送風機１８から吹き出した空気吹出流を各ガイド面２６ａの間へ滑らかに整流してガイドするようになっていれば、前記各熱交換機４２を構成するプレート部の表面全体に対する空気の偏流を抑制できると共に、前記各フィン部４１に空気が流入する際の通風抵抗を低減することができる。
【図面の簡単な説明】
【００３９】
【図１】本実施形態における空気調和機の平断面図。
【図２】本実施形態における空気調和機の内部正面図。
【図３】（ａ）は図２における３−３線矢視断面図、（ｂ）は図３（ａ）の一部拡大断面図。
【図４】本実施形態におけるプレート部の断面図。
【図５】本実施形態における空気調和機の正断面図。
【図６】別例の空気調和機における内部正面図。
【図７】他の別例の空気調和機における正断面図。
【符号の説明】
【００４０】
１０，１０Ａ…空気調和機、１１…ケーシング、１８…遠心送風機、２２…羽根部、２４，４２…熱交換機、２５，４３…プレート部、２５ａ…プレート部の表面、２５ｂ，４３ｂ…側縁部、２６，４１…フィン部、２６ａ，４１ａ…ガイド面、２７…回動軌跡、２８…円形開口、２９…冷媒流路、３２…整流ガイド、３２ａ…先端側部位、３２ｂ…基端側部位、Ｐ…回転軸線。
【図１】
2006046856.tif 000003
【図２】
2006046856.tif 000004
【図３】
2006046856.tif 000005
【図４】
2006046856.tif 000006
【図５】
2006046856.tif 000007
【図６】
2006046856.tif 000008
【図７】
2006046856.tif 000009